(57)【特許請求の範囲】
【請求項１】
少なくとも前面に開閉自在な扉を有する筐体と、
前記扉から前記筐体内に出入自在に収納される床部と、
前記筐体内の上部に設けられ、前記床部の前記上面を撮影する画像センサと、
電子計算機と、
Ｎ（但し、Ｎは２以上の正の自然数）本の棒状体と、
を具備し、
使用者が前記床部の前記上面に前記Ｎ本の棒状体を落とした後、
前記電子計算機によって、前記床部において所定間隔の平行線に交差する前記棒状体の数ｎを計測して比Ｘ（＝Ｎ／ｎ）を求めるか、及び／又は、前記平行線に対する前記棒状体の角度Ｙ（但し、Ｙは１〜１８０°の変数）を計測して合計角度Ｚ（＝ｎ×Ｙ）を求め、
前記電子計算機が含む判定部において、前記比Ｘ及び／又は前記合計角度Ｚに基づいて、前記使用者の運勢を判定すること、
を特徴とする運勢判定装置。
【請求項２】
前記電子計算機が販売時点情報管理システムを具備すること、
を特徴とする請求項１に記載の運勢判定装置。
【請求項３】
前記平行線が前記床部の前記上面に仮想的に描かれること、
を特徴とする請求項１又は２に記載の運勢判定装置。
【請求項４】
前記電子計算機によって、前記比Ｘ（＝Ｎ／ｎ）を求め、前記比Ｘが円周率Π（パイ）に近似する程度によって前記使用者の運勢を判定すること、
を特徴とする請求項１〜３のうちのいずれかに記載の運勢判定装置。
【請求項５】
前記電子計算機によって、前記合計角度Ｚ（＝Ｙ１＋Ｙ２＋・・・＋Ｙｎ）を求め、前記Ｚの実数のみを８で除し、得られた数値の少数のみに８を乗じ、得られた数値に基づいて前記使用者の運勢を判定すること、
を特徴とする請求項１〜３のうちのいずれかに記載の運勢判定装置。
【発明の詳細な説明】
【技術分野】
【０００１】
本発明は、新規なメカニズムによる運勢判定装置に関する。
【背景技術】
【０００２】
従来から、人が人生の岐路に立った際や何らかの問題に悩んでいる場合には、自らの運勢を知りたくなる傾向にある。このことは、神社仏閣においておみくじが盛んに販売されたり、街頭で手相を見る占い師や鑑定士が散見されたりすることからもわかる。
【０００３】
このようなおみくじや手相では面白みに欠けることから、運勢を判定するための種々の発明が提案されている。例えば、特許文献１（特開２００７−０６１３６７号公報）においては、街頭で易者と依頼者とが対面して行われる対面式の易学鑑定を再現したゲーム機が提案されている。
【０００４】
また、特許文献２（特開２００８−２９５７５４号公報）においては、占いゲームなどのミニゲームによる遊技結果を解除役報知情報として反映させることができる遊技機が提案されている。
【先行技術文献】
【特許文献】
【０００５】
【特許文献１】特開２００７−０６１３６７号公報
【特許文献２】特開２００８−２９５７５４号公報
【発明の概要】
【発明が解決しようとする課題】
【０００６】
しかしながら、上記特許文献１及び２においてそれぞれ提案されているゲーム機や遊技機は、電子的な装置を面前にして使用するもので、予め蓄積されたデータベースに基づいて半ば機械的・人為的に運勢を判定されるものであり、真に運勢を判定しているという臨場感に欠けるという問題がある。
【０００７】
そこで、本発明は、上記のような従来の問題点に鑑み、機械的に運勢を判定されているという感覚を最小限に抑え、自然な態様で使用者の運勢を判定することのできる運勢判定装置を提供することを目的とする。
【課題を解決するための手段】
【０００８】
本発明者は、上記の課題を解決すべく鋭意検討した結果、予め決められた本数の棒状体を床に落とせば、それら棒状体の態様乃至は様子を電子的に何らかの数値（パラメータ）に落とし込むことができ、かかる数値が所定の運勢基準にどの程度当てはまるかによって、使用者の運勢を判定できると考えた。
【０００９】
つまり、このような考え方を用いた方法によって求められる運勢は、決して人為的・機械的に求められるものではなく、落とされた棒状体の偶然の態様からその時の運によって自然発生的に決まるものであり、したがって本発明はこれを利用することにより上記課題を解決するものである。
【００１０】
即ち、本発明は、
前面に開閉自在な扉を有する筐体と、
前記扉から前記筐体内に出入自在に収納される床部と、
前記筐体内の上部に設けられ、前記床部の前記上面を撮影する画像センサと、
電子計算機と、
Ｎ（但し、Ｎは２以上の正の自然数）本の棒状体と、
を具備し、
使用者が前記床部の前記上面に前記Ｎ本の棒状体を落とした後、
前記電子計算機によって、前記床部において所定間隔の平行線に交差する前記棒状体の数ｎを計測して比Ｘ（＝Ｎ／ｎ）を求めるか、及び／又は、前記平行線に対する前記棒状体の角度Ｙ（但し、Ｙは１〜１８０°の変数）を計測して合計角度Ｚ（＝ｎ×Ｙ）を求め、
前記電子計算機が含む判定部において、前記比Ｘ及び／又は前記合計角度Ｚに基づいて、前記使用者の運勢を判定すること、
を特徴とする運勢判定装置、
を提供する。
【００１１】
本発明の運勢判定装置は、前記電子計算機が販売時点情報管理システムを具備すること、が好ましい。
【００１２】
また、本発明の運勢判定装置においては、前記平行線が前記床部の前記上面に仮想的に描かれること、が好ましい。
【００１３】
また、本発明の運勢判定装置においては、前記電子計算機によって、前記比Ｘ（＝Ｎ／ｎ）を求め、前記比Ｘが円周率Π（パイ）に近似する程度によって前記使用者の運勢を判定すること、が好ましい。
【００１４】
また、本発明の運勢判定装置においては、前記電子計算機によって、前記合計角度Ｚ（＝ｎ×Ｙ）を求め、前記Ｚを８で除し、得られた数値の少数のみに８を乗じ、得られた数値に基づいて前記使用者の運勢を判定すること、が好ましい。
【発明の効果】
【００１５】
本発明によれば、簡単な構成により製造、取扱い及び設置が容易であり、機械的に運勢を判定されているという感覚を最小限に抑え、自然な態様で運勢を判定することのできる運勢判定方法及びこれを用いた運勢判定装置（システム）を提供することができる。
【図面の簡単な説明】
【００１６】
【図１】本発明の運勢判定装置の一実施形態を示す概略斜視図である。
【図２】図１に示す運勢判定装置１の内部構成を模式的に示す概略斜視図である。
【図３】図１に示す運勢判定装置１を用いた運勢判定方法の第一実施形態を説明するための概略図である。
【図４】図１に示す運勢判定装置１を用いた運勢判定方法の第二実施形態を説明するための概略図である。
【図５】図１に示す運勢判定装置１の試作品の外観写真である。
【発明を実施するための形態】
【００１７】
以下、図面を参照しながら本発明の運勢判定装置システム（装置）の代表的な実施形態について説明するが、本発明はこれらのみに限定されるものではない。なお、図面は、本考案を概念的に説明するためのものであるから、理解容易のために、必要に応じて寸法、比又は数を誇張又は簡略化して表している場合もある。
【００１８】
本実施形態に係る運勢判定装置１は、図１に示すように、前面に開閉自在な扉１ｂ，１ｃを有する屋根付きの筐体１ａからなる家型乃至は社型を有しており、図１及び図２に示すように床部２に所定間隔で複数の平行線Ｌ（図３参照）が描かれている略円状のエリアＳが設けられている。なお、この平行線Ｌは物理的に床部２に描かれていてもよいが、後述する画像センサ４ａによって仮想的に描かれていてもよい。
【００１９】
なお、図１等では、床部２は固定されているように見えるが、図５に示すように、扉１ｂ，１ｃから筐体１ａ内に出入自在に収納される構造となっている。
【００２０】
また、運勢判定装置１の上部には、図２に示すように、床部２のうちの特にエリアＳを撮影するためのカメラ４を含む画像センサ４ａが設けられており、これはパーソナルコンピュータ、サーバコンピュータ等の電子計算機６に接続されている。図示していないが、この電子計算機６は、例えば小売店等のレジに配置されている販売時点情報管理（ＰＯＳ）システムに内蔵（接続）されていてよい。
【００２１】
ここで、この電子計算機６においては、運勢判定装置１で自分の運勢を判定しようとする使用者が、使用者が床部２の上面にＮ本の棒状体を落とした後、第一の方法及び／又は第二の方法で、使用者の運勢を判定する。
【００２２】
（１）第一の方法
第一の方法では、電子計算機６によって、平行線に交差する棒状体の数ｎを計測して比Ｘ（＝Ｎ／ｎ）を求める。そして、電子計算機が含む判定部において、比Ｘに基づいて、使用者の運勢を判定する。
【００２３】
より具体的には、束になったＮ（但し、Ｎは２以上の正の自然数）本の棒状体８を、図１において矢印で示すように床部２に落とした後に、平行線Ｌに交差する棒状体の数ｎ本を前記画像センサで計測して比Ｘ（＝Ｎ／ｎ）を求め、比Ｘが円周率Π（パイ）に近似する程度によって、使用者の運勢を判定する。平行線Ｌは予め床部２に描かれていてもよいし、画像センサ４ａによって仮想的に床部２に描かれていてもよい。
【００２４】
本発明者は、もし床に多数の平行線を引き、そこに針を落すならば、どれかの線と針が交差する確率は円周率（Π）に近似するビュフォンの針（Ｂｕｆｆｏｎ‘ｓ  ｎｅｅｄｌｅ  ｐｒｏｂｌｅｍ）という考え方があることを知り、これを運勢判定に応用できないかと考えた。この考え方を用いた方法によって求められる確率は、決して人為的・機械的に求められるものではなく、したがって、まさにその時の運によって自然発生的に決まるものであると考えられ、これを利用することにより上記課題を解決するものである。
【００２５】
即ち、ビュフォンの針理論は、１８世紀の博物学者ジョルジュ＝ルイ・ルクレール、コント・ド・ビュフォンが提起したものであり、もし床に多数の平行線を引き、そこに針を落すならば、どれかの線と針が交差する確率はどのようになるかという問題である。上記のように、もし床に多数の平行線を引き、そこに針を落すならば、どれかの線と針が交差する確率は円周率（Π）に近似するビュフォンの針という考え方（理論）を用いる。
【００２６】
なお、１９０１年にイタリアの数学者マリオ・ラザリニがビュフォンの針の実験を行ったところ、３４０８回針を投げて、よく知られた円周率の近似値（３５５／１１３）を得た。この近似値と円周率Πとの差は３×１０−７以下であったとのことである。
【００２７】
そこで、本実施形態においては、束になったＮ本の棒状体８を、図１において矢印で示すように、使用者が床部２に落とした後に、平行線Ｌに交差する棒状体Ａの数ｎ本を前記画像センサで計測して比Ｘ（＝Ｎ／ｎ）を求め、比Ｘが円周率Π（パイ）に近ければ近いほど好ましいとして、使用者の運勢を判定することとする。
【００２８】
本実施形態において、発明者が繰り返し実験を行ったところ、棒状体８の本数Ｎは、２０本以上であるのが好ましく、更には２５本以上であるのが好ましかった。また、棒状体８としては、種々の材質、形状及び寸法のものを用いることができ、例えば割り箸状のものも用いることができる。棒状体８の長さは平行線の間隔の３０〜７５％、好ましくは４５〜６０％、より好ましくは５０％（例えば、棒状体８は２５ｍｍで、平行線の間隔は５０ｍｍ）である。
【００２９】
棒状体がエリアＳの平行線Ｌに交差しているか否かの判定は、図３に示すように、平行線Ｌと完全に交差している棒状体Ａ１と、平行線Ｌと端部において接している棒状体Ａ２と、の両方をカウントすることにより判定する（平行線Ｌと端部において接している棒状体Ａ２はカウントしないルールとしてもよい。）。平行線Ｌと全く接していない棒状体Ｂはカウントしない。
【００３０】
そして、例えば、比Ｘと円周率Πとの誤差が、ａ％の場合に◎、ｂ％の場合に○、ｃ％の場合に△、ｄ％の場合に×と、使用者の運勢を４段階で判定する。ただし、０＜ａ＜ｂ＜ｃ＜ｄとし、ａ、ｂ、ｃ及びｄはそれぞれ範囲で設定されていてもよい。
【００３１】
ついで、それぞれの運勢を説明した文章（テキスト）を、電子計算機６又は外部コンピュータのデータベースに格納しておき、これら文章をモニタ（図示せず）に表示したり、プリントアウトして使用者に手渡せるようにしたりしてもよい。
【００３２】
また、例えば、比Ｘと円周率Πとの誤差が、ａ％の場合に大吉、ｂ％の場合に中吉、ｃ％の場合に吉、ｄ％の場合に凶、及びｅ％の場合に大凶と５段階に分け、これらの運勢を説明した文章を、電子計算機６のデータベースやクラウドサーバに格納しておきこれらをモニタ（図示せず）に表示したり、プリントアウトして使用者に手渡せるようにしたりしてもよい。
【００３３】
本実施形態の運勢判定装置１において、棒状体の本数Ｎが多ければ多いほど、また、平行線Ｌの間隔が広ければ広いほど、得られる比Ｘの精度が高いと考えられる。なお、平行線Ｌは平行に設けられた複数の溝（又は線状の凸部）で構成されていてもよい。
【００３４】
上記のような運勢判定装置１を使用した運勢判定方法では、まず、使用者が、予め定められたＮ本の棒状体８を、所定間隔で複数の平行線Ｌが描かれた床部２に向かって投げて落とす。次に、カメラ４及び画像センサ４ａを具備する電子計算機６によって、平行線Ｌに交差する棒状体Ａの数ｎを計測し、比Ｘ（＝Ｎ／ｎ）を求め、比Ｘが円周率Π（パイ）に近似する程度によって使用者の運勢を判定する。
【００３５】
（２）第二の方法
第二の方法では、電子計算機６によって、束になったＮ（但し、Ｎは２以上の正の自然数）本の棒状体８を、図１において矢印で示すように床部２に落とした後に、平行線Ｌに対する棒状体の角度Ｙ（但し、Ｙは１〜１８０°の変数）を計測してこれらを加算して合計角度Ｚ（＝ｎ×Ｙ）を求め、合計角度Ｚに基づいて、使用者の運勢を判定する。
【００３６】
より具体的には、束になったＮ（但し、Ｎは２以上の正の自然数）本の棒状体８を、図１において矢印で示すように床部２に落とした後に、図４に示すように、平行線Ｌに対する棒状体の角度Ｙ１，Ｙ２，Ｙ３，・・・，Ｙｎ（但し、Ｙ１〜Ｙｎはそれぞれ１〜１８０°の変数）を画像センサ４ａで計測して合計角度Ｚ（＝Ｙ１＋Ｙ２＋・・・＋Ｙｎ））を求め、合計角度Ｚに基づいて、使用者の運勢を判定する。
【００３７】
このとき、合計角度Ｚには種々の処理をしてよいが、例えば実数のみを８で除し、得られた数値の少数のみに８を乗じれば、０〜７の範囲内の数値が得られる。これを中国の易経における八卦や六十四卦に準じて、予め運勢表を作成しておけば、得られた数値に基づいて前記使用者の運勢を判定することができる。
【００３８】
得られた運勢判定結果は、電子計算機６のデータベースやクラウドサーバに格納しておき、これらをモニタ（図示せず）に表示したり、個票としてプリントアウトして使用者に手渡せるようにしたりしてもよい。運勢判定結果を使用者の所有乃至は指定する携帯電話、スマートフォン、スマートウォッチ等の携帯端末に表示させる構成としてもよい。
【００３９】
以上、本発明の運勢判定装置の一実施形態について説明したが、本発明はこれらのみに限定されるものではない。エリアＳの形状は略円状に限定されるものではなく、略三角形状、略四角形状、又は略楕円形状等であってもよい。床部２全面に平行線Ｌを設けてもよい。なお、図５は、図１に示す運勢判定装置１の試作品の外観写真である。
【００４０】
また、上記実施形態においては、家型乃至は社型の運勢判定装置としたが、これに限定されるものではない。屋内であれば、建物の一部に床部２を設け、適当な位置にカメラ及び画像センサ等を設置すればよいし、屋外であれば、祠や小屋のような態様であってもよい。また、ＰＯＳシステムに内蔵・接続されていても、独立していてもよい。
【００４１】
電子計算機６は、使用者の携帯端末から接続可能に設定されてもよい。このとき、電子計算機６は、運勢の判定結果を使用者の携帯端末に出力することができる。
【００４２】
また、上記実施形態においては、使用者が棒状体８を床部２に投げ落とすこととしたが、使用者の操作に応じて、図示しない棒状体保持部が棒状体８を床部２に落としてもよい。使用者の操作としては、例えば、筐体１ａの外部に設置されたボタン（タッチパネルディスプレイに表示された仮想的なボタンを含む）の押下や、使用者の携帯端末のボタン（タッチパネルディスプレイに表示された仮想的なボタンを含む）の押下、使用者の携帯端末のマイクロホンに向かっての発声が挙げられる。
【００４３】
また、棒状体保持部としては、例えば、筐体１ａ内の上部で棒状体８を放出可能に保持するアームや、磁性を帯びた棒状体８を吸着する電磁石が挙げられる。この場合、扉１ｂ，１ｃを開いたときの開口を透明なシートや板で覆うことができ、棒状体８の紛失を防ぐことができる。
【符号の説明】
【００４４】
１・・・運勢判定装置、
１ａ・・・筐体、
２・・・床部、
４・・・カメラ、
４ａ・・・画像センサ、
６・・・電子計算機、
８・・・棒状体（の束）、
Ｌ・・・平行線、
Ｓ・・・エリア。
【要約】
【課題】機械的に運勢を判定されているという感覚を最小限に抑え、自然な態様で運勢を判定することのできる運勢判定装置を提供する。
【解決手段】前面に開閉自在な扉を有する筐体と、前記扉から前記筐体内に出入自在に収納され、上面に所定間隔で描かれた複数の平行線を有する床部と、前記筐体内の上部に設けられ、前記床部の前記上面を撮影する画像センサと、電子計算機と、Ｎ（但し、Ｎは２以上の正の自然数）本の棒状体と、を具備し、使用者が前記床部の前記上面に前記Ｎ本の棒状体を落とした後、落ちた棒状体の態様によって使用者の運勢を判定すること、を特徴とする運勢判定装置。
【選択図】図１【図１】
0006628928.tif 000002
【図２】
0006628928.tif 000003
【図３】
0006628928.tif 000004
【図４】
0006628928.tif 000005
【図５】
0006628928.tif 000006